Podtech/llm-jp-corpus-v4-ja_patent huggingface dataset:
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
プロセッサ及びコンピュータ読取可能な記憶媒体を有する、患者に対する医療を決定する医療支援システムであって、該コンピュータ読取可能な記憶媒体は前記プロセッサによる実行のための命令を格納し、該命令が前記プロセッサに、
−  患者データを取得するステップ、
−  前記患者の臨床的必要性を評価するステップ、
−  臨床アウトカムを提案するステップ、及び
−  前記臨床的必要性及び前記提案された臨床アウトカムのために前記患者に提供されるべきサービスを、サービス／アウトカム／必要性モデルに基づいて決定するステップ、
を実行させ、
前記サービス／アウトカム／必要性モデルが、前記患者に提供されるサービス、臨床アウトカム及び前記患者の臨床的必要性の間の関係を提供する、医療支援システム。
【請求項２】
前記サービス／アウトカム／必要性モデルが、臨床ドメイン又は疾病に関する臨床的必要性の関係を示すオントロジを更に有する、請求項１に記載の医療支援システム。
【請求項３】
各サービスに関して前記サービス／アウトカム／必要性モデルの事例が存在するサービスデータベースを更に有する、請求項１に記載の医療支援システム。
【請求項４】
前記命令が前記プロセッサに前記サービスデータベースを患者データに基づいて作成するステップを更に実行させる、請求項３に記載の医療支援システム。
【請求項５】
前記サービスデータベースを作成するステップが、臨床的研究及び／又は臨床専門家からのデータを得るステップを更に有する、請求項４に記載の医療支援システム。
【請求項６】
前記命令が前記プロセッサに前記サービスデータベースを前記得られたデータに基づいて更新するステップを更に実行させる、請求項３に記載の医療支援システム。
【請求項７】
当該医療支援システムが自己適応型システムであり、前記患者に提供されるべき最も適切なサービスを継続的に決定する、請求項１に記載の医療支援システム。
【請求項８】
前記患者データが患者サマリに対して選択されたエレメントに基づいて取得される、請求項１に記載の医療支援システム。
【請求項９】
前記患者に提供されるべきサービスを決定するステップが、患者サマリに対して選択されたエレメントに更に基づくものである、請求項１に記載の医療支援システム。
【請求項１０】
前記患者データが心理社会的データを有し、前記患者に提供されるべきサービスを決定するステップが、該サービスがどの様に提供されるべきかを前記心理社会的データに基づいて決定するステップを更に有する、請求項１に記載の医療支援システム。
【請求項１１】
患者に対する医療を決定する医療支援システムであって、プロセッサ及びコンピュータ読取可能な記憶媒体を有し、該コンピュータ読取可能な記憶媒体は前記プロセッサによる実行のための命令を格納し、該命令が前記プロセッサに、
−  心理社会的データを有する患者データを取得するステップ、
−  前記患者の臨床的必要性を評価するステップ、及び
−  前記臨床的必要性のために前記患者に提供されるべきサービスを決定すると共に、該サービスが前記患者にどの様に提供されるべきかを前記心理社会的データに基づいて決定するステップ、
を実行させる、医療支援システム。
【請求項１２】
患者に対する医療を決定する医療支援方法であって、
−  患者データを取得するステップ、
−  前記患者の臨床的必要性を評価するステップ、
−  臨床アウトカムを提案するステップ、
−  前記臨床的必要性及び前記提案された臨床アウトカムのために前記患者に提供されるべきサービスを、サービス／アウトカム／必要性モデルに基づいて決定するステップ、
を有し、
前記サービス／アウトカム／必要性モデルが、前記患者に提供されるサービス、臨床アウトカム及び前記患者の臨床的必要性の間の関係を提供する、医療支援方法。
【請求項１３】
コンピュータ上で実行された場合に該コンピュータに請求項１２に記載の方法のステップを実行させるプログラムコード手段を有する、コンピュータプログラム。
【請求項１４】
患者に対する医療を決定する医療支援システムであって、
−  患者データを取得する手段と、
−  前記患者の臨床的必要性を評価する手段と、
−  臨床アウトカムを提案する手段と、
−  前記臨床的必要性及び前記提案された臨床アウトカムのために前記患者に提供されるべきサービスを、サービス／アウトカム／必要性モデルに基づいて決定する手段と、
を有し、
前記サービス／アウトカム／必要性モデルが、前記患者に提供されるサービス、臨床アウトカム及び前記患者の臨床的必要性の間の関係を提供する、医療支援システム。
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
下記式Ｉ及び下記式ＩＩから成る群から選択されるフルオロポリマー化合物。
【化１】
2016520956.tif 000001
（ここで、式中、
Ｒｆは、重量平均分子量が０．２〜２０Ｋｇ／ｍｏｌのペルフルオロポリマーであり、
Ｒ’及びＲ”は、それぞれ独立に選択される、脂肪族基、芳香族基、又は脂肪族と芳香族とを組み合わせた基である。）
【請求項２】
前記フルオロポリマー化合物が非晶質である、請求項１に記載のフルオロポリマー化合物。
【請求項３】
（ａ）フルオロポリマーを含む均質な溶媒系であって、前記フルオロポリマーに１つ又は２つの末端カーボネート基が共有結合している前記溶媒系と、
（ｂ）前記溶媒系に溶解したアルカリ金属塩と
を含む、液体又は固体の電解質組成物。
【請求項４】
前記アルカリ金属塩が、リチウム塩またはナトリウム塩である、請求項３に記載の組成物。
【請求項５】
前記溶媒系が７０〜９５重量パーセントの量で含まれており、
前記塩が５〜３０重量パーセントの量で含まれている、
請求項３または４に記載の組成物。
【請求項６】
前記フルオロポリマーが、式Ｉ、式ＩＩ、及びそれらの混合物から成る群から選択される化合物である、請求項３〜５のいずれか一項に記載の組成物。
【化２】
2016520956.tif 000002
（ここで、式中、
Ｒｆは、重量平均分子量が０．２〜２０Ｋｇ／ｍｏｌのペルフルオロポリマーであり、
Ｒ’及びＲ”は、それぞれ独立に選択される、脂肪族基、芳香族基、又は脂肪族と芳香族とを組み合わせた基である。）
【請求項７】
前記組成物が、電極安定化剤をさらに含む、請求項３〜６のいずれか一項に記載の組成物。
【請求項８】
前記組成物が、揮発性のカーボネート溶媒を含まない、請求項３〜７のいずれか一項に記載の組成物。
【請求項９】
前記組成物のＴｇが、−１２０℃〜−２０℃の間である、請求項３〜８のいずれか一項に記載の組成物。
【請求項１０】
前記組成物が、２３５℃の温度に加熱した後に、Ｋｏｈｌｅｒ開放式の迅速な引火試験装置にて１５秒間炎に接触させた際に発火しないものである、請求項３〜９のいずれか一項に記載の組成物。
【請求項１１】
前記組成物が、Ｌｉ／Ｌｉ＋に対して３〜６ボルトの電気化学安定窓を有する、請求項３〜１０のいずれか一項に記載の組成物。
【請求項１２】
前記フルオロポリマーが非晶質である、請求項３〜１１のいずれか一項に記載の組成物。
【請求項１３】
（ａ）アノードと、
（ｂ）カソードと、
（ｃ）前記アノード及びカソードと有効に関係する、請求項３〜１２のいずれか一項に記載の液体又は固体の電解質組成物と
を含む、バッテリー。
【請求項１４】
前記アノード及び前記カソードのうち少なくとも一方が炭素電極を含む、請求項１３に記載のバッテリー。
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
第１の色の発光ダイオードからなる一次セットと、
他の色の発光ダイオードからなる二次セットと、
光束比固定装置と、
を含む照明回路であって、
前記第１の色の前記発光ダイオードからなる前記一次セットの光出力の温度に依存する減少は、前記他の色の前記発光ダイオードからなる前記二次セットの光出力の温度に依存する減少よりも大きく、
前記光束比固定装置は、前記照明回路の前記発光ダイオードの光出力全体の温度に依存する減少の間、前記一次セットの前記光出力と前記二次セットの前記光出力との間に、実質的に一定の比率を維持し、
前記光束比固定装置は、前記一次セットの前記発光ダイオードの順電圧の降下に基づいて、前記二次セットの前記発光ダイオードを流れる電流を減少させるか、又は、前記光束比固定装置は、前記二次セットの前記発光ダイオードの順電圧の降下に基づいて、前記一次セットの前記発光ダイオードを流れる電流を増加させ、
前記光束比固定装置は、
前記一次セットに電流を供給するために、当該一次セットと直列の第１の電流源と、
前記二次セットに電流を供給するために、当該二次セットと直列の第２の電流源と、
前記一次セットと前記第１の電流源との直列接続に並列であり、前記二次セットと前記第２の電流源との直列接続に並列であるＤＣ定電圧源と、
前記第１の色の前記発光ダイオードからなる前記一次セットに接続される補償抵抗器と、を含み、前記補償抵抗器の抵抗は一定であり、前記第１の色の前記発光ダイオードからなる前記一次セットの前記光出力の温度に依存する前記減少と、前記他の色の前記発光ダイオードからなる前記二次セットの前記光出力の温度に依存する前記減少との差に基づいて選択されている、
照明回路。
【請求項２】
発光ダイオードセットに電流を供給する線形電流源を含む、請求項１に記載の照明回路。
【請求項３】
前記線形電流源は、温度依存型ドライバを含む、請求項２に記載の照明回路。
【請求項４】
前記線形電流源は、温度非依存型ドライバを含む、請求項２又は３に記載の照明回路。
【請求項５】
前記補償抵抗器は、前記第１の色の前記発光ダイオードからなる前記一次セットの前記線形電流源と並列に接続される、請求項１乃至４の何れか一項に記載の照明回路。
【請求項６】
前記補償抵抗器は、前記第１の色の前記発光ダイオードからなる前記一次セットと、前記他の色の前記発光ダイオードからなる前記二次セットとの間に接続される、請求項１乃至４の何れか一項に記載の照明回路。
【請求項７】
前記補償抵抗器は、前記第１の色の前記発光ダイオードからなる前記一次セットと、前記他の色の前記発光ダイオードからなる前記二次セットの前記線形電流源の電流検知抵抗器との間に接続される、請求項６に記載の照明回路。
【請求項８】
少なくとも２つの一次発光ダイオードセットを含み、各一次セットは、異なる色の光を放出する、請求項１乃至７の何れか一項に記載の照明回路。
【請求項９】
所定のカラーポイントの光で物体を照射する照明装置であって、
請求項１乃至８の何れか一項に記載の照明回路を少なくとも１つ含み、
前記照明回路の前記発光ダイオードセットは、組み合わせて、初期温度において、前記所定のカラーポイントの光を放出するように選択され、前記照明回路の前記光束比固定装置は、前記初期温度よりも高い温度において、前記所定のカラーポイントを維持する、照明装置。
【請求項１０】
前記照明回路の前記一次セットの前記発光ダイオードは、約６６０ｎｍの領域における波長を有する光を放出し、前記照明回路の前記二次セットの前記発光ダイオードは、実質的に白色の光を放出する、食料品の照明のための請求項９に記載の照明装置。
【請求項１１】
前記照明回路の前記一次セットの前記発光ダイオードは、約７４０ｎｍの領域における波長を有する光を放出し、前記照明回路の前記二次セットの前記発光ダイオードは、約６６０ｎｍの領域における波長の光を放出する、植物の照明のための請求項９に記載の照明装置。
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
グラフィックス処理システムにおいてクエリを実行する方法であって、前記方法は、
１つまたは複数のタイルベースレンダリングクエリを発行することと、ここにおいて、前記１つまたは複数のタイルベースレンダリングクエリは第１のタイルベースレンダリングクエリを含み、
第１のメモリロケーション、第２のメモリロケーション、および蓄積の最終結果のメモリロケーションを各クエリに割り当てることと、および
各タイルについて、
開始値を決定するために、前記第１のタイルベースレンダリングクエリの開始時にランニングカウンタを読み取り、前記第１のメモリロケーションに前記開始値を記憶することと、ここにおいて、前記ランニングカウンタはディスクリート・グラフィカル・エンティティをカウントし、
終了値を決定するために、前記第１のタイルベースレンダリングクエリの終了時に前記ランニングカウンタを読み取り、前記第２のメモリロケーションに前記終了値を記憶することと、
結果を決定するために、前記終了値から前記開始値を差し引くことと、
前記第１のタイルベースレンダリングクエリに割り当てられた前記蓄積の最終結果のメモリロケーションに記憶されたアキュムレータの値に前記結果を加えることと、
を備える、方法。
【請求項２】
前記ディスクリート・グラフィカル・エンティティはピクセルを備える、請求項１に記載の方法。
【請求項３】
前記ディスクリート・グラフィカル・エンティティは多角形を備える、請求項１に記載の方法。
【請求項４】
前記アキュムレータの値は各タイルベースレンダリングクエリに関する第３のメモリロケーションに記憶される、請求項１に記載の方法。
【請求項５】
前記アキュムレータの値は前記第１のタイルベースレンダリングクエリに割り当てられた前記第１のメモリロケーションまたは前記第２のメモリロケーションのうちの１つに上書きされる、請求項１に記載の方法。
【請求項６】
前記１つまたは複数のタイルベースクエリは第２のタイルベースクエリを含み、前記方法は、
各タイルについて、
開始値を決定するために、前記第２のタイルベースレンダリングクエリの開始時にランニングカウンタを読み取ることと、ここにおいて、前記ランニングカウンタはディスクリート・グラフィカル・エンティティをカウントし、
終了値を決定するために、前記第２のタイルベースレンダリングクエリの終了時に前記ランニングカウンタを読み取ることと、
結果を決定するために、前記終了値から前記開始値を差し引くことと、
前記第２のタイルベースレンダリングクエリに割り当てられた前記蓄積の最終結果のメモリロケーションに記憶されたアキュムレータの値に前記結果を加えることと、
をさらに備える、請求項１に記載の方法。
【請求項７】
第３のネスティングされたクエリを実行することをさらに備える、請求項６に記載の方法。
【請求項８】
前記クエリは、オクルージョンクエリを備える、請求項１に記載の方法。
【請求項９】
前記クエリは、タイムスタンプクエリを備える、請求項１に記載の方法。
【請求項１０】
前記クエリは、パイプラインステータスクエリを備える、請求項１に記載の方法。
【請求項１１】
グラフィックス処理システムにおいてクエリを実行するための装置であって、
前記装置は、
１つまたは複数のタイルベースレンダリングクエリを発行するための手段と、ここにおいて、前記１つまたは複数のタイルベースレンダリングクエリは第１のタイルベースレンダリングクエリを含み、
第１のメモリロケーション、第２のメモリロケーション、および蓄積の最終結果のメモリロケーションを各クエリに割り当てるための手段と、
各タイルについて、開始値を決定するために、前記第１のタイルベースレンダリングクエリの開始時にランニングカウンタを読み取り、前記第１のメモリロケーションに前記開始値を記憶するための手段と、ここにおいて、前記ランニングカウンタはディスクリート・グラフィカル・エンティティをカウントし、
各タイルについて、終了値を決定するために、前記第１のタイルベースレンダリングクエリの終了時に前記ランニングカウンタを読み取り、前記第２のメモリロケーションに前記終了値を記憶するための手段と、
各タイルについて、結果を決定するために、前記終了値から前記開始値を差し引くための手段と、
各タイルについて、前記第１のタイルベースレンダリングクエリに割り当てられた前記蓄積の最終結果のメモリロケーションに記憶されたアキュムレータの値に前記結果を加えるための手段と、
を備える、装置。
【請求項１２】
グラフィックスデータを記憶するように構成されたメモリと、
前記メモリと通信状態にあるグラフィックス処理ユニット(ＧＰＵ）と、
をさらに備える、請求項１１に記載の装置。
【請求項１３】
命令を記憶したコンピュータ可読記憶媒体であって、実行されると、デバイスの１つ又は複数のプロセッサに、請求項１乃至１０のいずれか一項に記載の方法を行わせる、コンピュータ可読記憶媒体。
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
環境の少なくとも1つのビデオフレームを受信するステップと、
前記環境のサーフェス再構築を生成するステップと、
前記環境の前記サーフェス再構築内で仮想オブジェクトおよび現実世界オブジェクトに向けて複数の光線を投射するステップと、
前記少なくとも1つのビデオフレームから前記環境の照明データを生成するステップと、
改善を必要とする前記環境内のエリアに基づき、前記環境内の前記複数の光線から光線のサブセットを求めるステップであって、前記複数の光線および近似分散解析を含む光線空間の4D細分に基づいて適応サンプリング技法を適用するステップを含むステップと、
前記サーフェス再構築、前記照明データ、および光線の前記サブセットを除外する前記複数の光線に基づいて、前記少なくとも1つのビデオフレームに関連する前記環境の推定現実世界ライティングデータを生成するステップと、
前記推定現実世界ライティングデータを使用して、光線の前記サブセットを除外する前記複数の光線に基づいて、前記少なくとも1つのビデオフレームにわたって前記仮想オブジェクトをレンダリングするステップと
を含む方法。
【請求項２】
改善を必要とする前記環境内の前記エリアが、シャドーエリア、サーフェスエッジ、およびシャドーエッジを含む請求項1に記載の方法。
【請求項３】
前記複数の光線から光線のサブセットを求める前記ステップが、ライティングおよび差分レンダリング技法を前記環境に適用するステップと、その結果としてのシャドー情報を解析するステップとを含む請求項1に記載の方法。
【請求項４】
光線の前記サブセットに関連する時間コヒーレンス情報を2レベル階層キャッシュ内に格納するステップをさらに含み、第1のレベルが画面空間内の情報を格納し、第2のレベルがオブジェクト空間内の情報を格納する請求項1に記載の方法。
【請求項５】
前記照明データを生成する前記ステップが、
前記少なくとも1つのビデオフレームを輝度成分および色成分に変換するステップと、
前記輝度成分をノイズ除去して前記照明データを抽出するステップと
を含む請求項1に記載の方法。
【請求項６】
前記環境の前記サーフェス再構築を生成する前記ステップが、前記少なくとも1つのビデオフレームを使用して実施される請求項1に記載の方法。
【請求項７】
環境の少なくとも1つのビデオフレームを受信するための手段と、
前記環境のサーフェス再構築を生成するための手段と、
前記環境の前記サーフェス再構築内で仮想オブジェクトおよび現実世界オブジェクトに向けて複数の光線を投射するための手段と、
前記少なくとも1つのビデオフレームから前記環境の照明データを生成するための手段と、
改善を必要とする前記環境内のエリアに基づき、前記環境内の前記複数の光線から光線のサブセットを求めるための手段であって、前記環境内の前記複数の光線から光線のサブセットを求めることが、前記複数の光線および近似分散解析を含む光線空間の4D細分に基づいて適応サンプリング技法を適用することを含む手段と、
前記サーフェス再構築、前記照明データ、および光線の前記サブセットを除外する前記複数の光線に基づいて、前記少なくとも1つのビデオフレームに関連する前記環境の推定現実世界ライティングデータを生成するための手段と、
前記推定現実世界ライティングデータを使用して、光線の前記サブセットを除外する前記複数の光線に基づいて、前記少なくとも1つのビデオフレームにわたって前記仮想オブジェクトをレンダリングするための手段と
を備える装置。
【請求項８】
改善を必要とする前記環境内の前記エリアが、シャドーエリア、サーフェスエッジ、およびシャドーエッジを含む請求項7に記載の装置。
【請求項９】
前記複数の光線から光線のサブセットを求めるための前記手段が、ライティングおよび差分レンダリング技法を前記環境に適用すること、ならびにその結果としてのシャドー情報を解析することを含む請求項7に記載の装置。
【請求項１０】
光線の前記サブセットに関連する時間コヒーレンス情報を2レベル階層キャッシュ内に格納するための手段をさらに備え、第1のレベルが画面空間内の情報を格納し、第2のレベルがオブジェクト空間内の情報を格納する請求項8に記載の装置。
【請求項１１】
前記照明データを生成するための前記手段が、
前記少なくとも1つのビデオフレームを輝度成分および色成分に変換するための手段と、
前記輝度成分をノイズ除去して前記照明データを抽出するための手段と
を備える請求項8に記載の装置。
【請求項１２】
プロセッサに、請求項1から6のいずれか一項に記載の方法を実行させるように構成されたプロセッサ可読命令を含むプロセッサ可読非一時的記録媒体。
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
ディスプレイを制御する方法であって、
圧電デバイスによって物体を表す信号を検出するステップであって、前記圧電デバイスが超音波トランスミッタを含む、ステップと、
前記信号に基づいてディスプレイをスリープモードから覚ますステップと、
前記超音波トランスミッタによって超音波信号を送るステップと、
前記圧電デバイスによって前記ディスプレイの表面から反射された超音波信号を検出するステップとを含み、
前記圧電デバイスおよび前記ディスプレイが、TFTアレイ上に配置される、方法。
【請求項２】
前記ディスプレイが前記信号の閾値との比較に基づいて覚まされる請求項1に記載の方法。
【請求項３】
前記閾値が、あらかじめ決められた値であるか、または前記圧電デバイスによって検出された前の信号に基づく請求項2に記載の方法。
【請求項４】
前記信号が、赤外線信号または超音波信号である請求項1に記載の方法。
【請求項５】
前記超音波信号を送るステップの前に、前記超音波トランスミッタが、スリープ状態からアクティブ状態にされる請求項1に記載の方法。
【請求項６】
前記物体が、前記ディスプレイの表面上にまたは前記ディスプレイの表面から離れて位置付けられる請求項1に記載の方法。
【請求項７】
前記圧電デバイスが、センサアレイを含み、前記信号を検出するステップが、前記センサアレイによって行われるスキャンに対応する請求項1に記載の方法。
【請求項８】
前記信号に基づいて前記ディスプレイに対して相対的な前記物体の位置を判定するステップと、
前記物体の前記位置に基づいて前記センサアレイによって第2のスキャンを行うステップとをさらに含む請求項7に記載の方法。
【請求項９】
前記圧電デバイスが、センサアレイを含み、前記信号を検出するステップが、前記センサアレイによって行われる部分的なスキャンに対応する請求項1に記載の方法。
【請求項１０】
前記部分的なスキャンが、イベントに応答して前記センサアレイのセンサの一部を選択的にアドレス指定することを含む請求項9に記載の方法。
【請求項１１】
前記イベントが、前記ディスプレイの表面にタッチする物体を検出することに対応する請求項10に記載の方法。
【請求項１２】
センサの前記一部が、前記センサアレイのその他のセンサよりも前記イベントに近い請求項11に記載の方法。
【請求項１３】
前記部分的なスキャンが、イベントに応答して前記センサアレイのセンサの一部からの情報を選択的に処理することを含む請求項9に記載の方法。
【請求項１４】
前記情報が、前記センサアレイの実質的にすべてのセンサから画像情報を読み出し、センサの前記一部に対応する前記情報の一部を画像プロセッサに転送することによって選択的に処理される請求項13に記載の方法。
【請求項１５】
前記イベントが、前記ディスプレイの表面にタッチする物体を検出することに対応する請求項14に記載の方法。
【請求項１６】
センサの前記一部が、前記センサアレイのその他のセンサよりも前記イベントに近い請求項15に記載の方法。
【請求項１７】
前記情報が、前記センサアレイの実質的にすべてのセンサから画像情報を読み出し、画像プロセッサに転送し、前記画像プロセッサによってセンサの前記一部からの情報を選択的に処理することによって選択的に処理される請求項13に記載の方法。
【請求項１８】
センサの前記一部が、前記センサアレイのその他のセンサよりも前記イベントに近い請求項17に記載の方法。
【請求項１９】
前記信号が、音響放射に対応する請求項1に記載の方法。
【請求項２０】
前記音響放射が、以下、すなわち、ユーザが前記ディスプレイの表面をタップすること、およびユーザが前記ディスプレイの前記表面をこすることのうちの1つまたは複数に対応する請求項19に記載の方法。
【請求項２１】
前記音響放射が、ユーザが前記ディスプレイの表面にタッチすることに対応する請求項19に記載の方法。
【請求項２２】
前記信号が、前記物体からの熱に対応する赤外線信号である請求項1に記載の方法。
【請求項２３】
圧電デバイスによって物体を表す信号を検出し、
前記信号に基づいてディスプレイをスリープモードから覚ますように構成されたプロセッサを含み、
前記圧電デバイスが、センサアレイを含み、前記プロセッサが、前記センサアレイの実質的にすべてのセンサから画像情報を読み出し、前記センサアレイのセンサの一部に対応する情報の一部を画像プロセッサに転送することによって情報を選択的に処理するように構成され、
前記圧電デバイスおよび前記ディスプレイが、TFTアレイ上に配置される、装置。
【請求項２４】
前記圧電デバイスが、センサアレイを含み、前記プロセッサが、イベントに応答して前記センサアレイのセンサの一部を選択的にアドレス指定するように構成される請求項23に記載の装置。
【請求項２５】
圧電デバイスによって物体を表す信号を検出するための手段と、
前記信号に基づいてディスプレイをスリープモードから覚ますための手段と、
前記圧電デバイスの実質的にすべてのセンサから画像情報を読み出し、センサの一部に対応する情報の一部を画像プロセッサに転送することによって情報を選択的に処理するための手段とを含み、
前記圧電デバイスおよび前記ディスプレイが、TFTアレイ上に配置される、装置。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
航空機（１０４）の部品のアセンブリ（１４４）を視覚化するための方法であって、
前記航空機（１０４）の前記部品（１０６）のアセンブリ（１４４）のための製造注文インスタンス（２５０）を識別することと、
前記製造注文インスタンス（２５０）のボリューム（２１９）を識別する（１６０２）ことと、
前記ボリューム（２１９）内の他の部品の任意数のアセンブリ（１４２）と関連させて、前記ボリューム（２１９）内の前記部品（１０６）のアセンブリ（１４４）を表示する（１６０４）ことと
を含む方法。
【請求項２】
前記ボリューム（２１９）内の前記他の部品と関連させずに、前記部品（１０６）のアセンブリ（１４４）の拡大図を表示すること
を更に含む、請求項１に記載の方法（１４４）。
【請求項３】
一連のグラフィカルインジケータ（２３１）を、前記部品（１０６）のアセンブリ（１４４）と、前記任意数のアセンブリ（１４２）の内の少なくとも一つと関連付けして表示することを更に含み、
前記一連のグラフィカルインジケータ（２３１）は、前記アセンブリ（１４４）と、前記任意数のアセンブリ（１４２）の内の少なくとも一つの製造注文インスタンス（１３２）のステータス（１３７）を示す、請求項１に記載の方法（１４４）。
【請求項４】
前記方法は、前記航空機（１０４）の前記部品（１０６）のアセンブリ（１４４）のための前記製造注文インスタンス（２５０）を識別する、受信したユーザ入力から、前記ボリューム（２１９）内に存在する部品（１０６）を識別する（１６０３）ことを更に含み、
前記ボリューム（２１９）内に存在する前記部品（１０６）は、アセンブリライン上の前記航空機（１０４）のアセンブリ（１４４）の現在の状態（２３３）のためのものである、請求項１に記載の方法（１４４）。
【請求項５】
前記ボリューム（２１９）は、前記部品（１０６）のアセンブリ（１４４）が位置づけされているセクション、又は前記部品（１０６）のアセンブリ（１４４）からの選択された距離の内の少なくとも一つに基づく、請求項１に記載の方法（１４４）。
【請求項６】
前記ボリューム（２１９）内の、前記部品（１０６）のアセンブリ（１４４）又は前記他の部品（１０６）の前記任意数のアセンブリ（１４２）の内の少なくとも一つにおける部品（１０６）間の従属関係（１３３）を示す一連のグラフィカルインジケータ（２３１）を表示する（１７１２）こと
を更に含む、請求項１に記載の方法（１４４）。
【請求項７】
あるオブジェクト（１０２）のための部品（１０６）のアセンブリ（１４４）を視覚化するための方法であって、
前記オブジェクト（１０２）のための前記部品（１０６）のアセンブリ（１４４）の製造注文インスタンス（２５０）を識別する（１６０２）ことと、
前記製造注文インスタンス（２５０）のボリューム（２１９）を識別する（１６０２）ことと、
前記ボリューム（２１９）内の他の部品（１０６）の任意数のアセンブリ（１４２）と関連させて、前記ボリューム（２１９）内の前記部品（１０６）のアセンブリ（１４４）を表示する（１６０４）ことと
を含む方法。
【請求項８】
前記オブジェクト（１０２）は、ビークル、潜水艦、人員運搬車、タンク、列車、自動車、バス、宇宙船、水上艦、衛星、ロケット、エンジン、コンピュータ、収穫機、建設用クレーン、ブルドーザー、及び鉱業設備の内の一つから選択される、請求項７に記載の方法（１４４）。
【請求項９】
航空機（１０４）の部品（１０６）のアセンブリ（１４４）のための製造注文インスタンス（２５０）を識別し、
前記製造注文インスタンス（２５０）のボリューム（２１９）を識別し、
前記ボリューム（２１９）内の他の部品（１０６）の任意数のアセンブリ（１４２）と関連させて、前記ボリューム（２１９）内の前記部品（１０６）のアセンブリ（１４４）を表示するように構成されたオブジェクトマネージャ（１２４）を備える、
航空機管理システムであって、
前記オブジェクトマネージャ（１２４）が更に、前記ボリューム（２１９）内の前記他の部品（１０６）と関連させずに、前記部品（１０６）のアセンブリ（１４４）を表示するように構成され、
前記オブジェクトマネージャ（１２４）が更に、一連のグラフィカルインジケータ（２３１）を、前記部品（１０６）のアセンブリ（１４４）と、前記任意数のアセンブリ（１４２）の内の少なくとも一つと関連付けして表示するように構成され、前記一連のグラフィカルインジケータ（２３１）は、前記部品（１０６）のアセンブリ（１４４）と、前記任意数のアセンブリ（１４２）の内の少なくとも一つの製造注文インスタンス（１３２）のステータス（１３７）を示す、
航空機管理システム。
【請求項１０】
前記オブジェクトマネージャ（１２４）が更に、前記ボリューム（２１９）内に存在する部品（１０６）を識別するように構成されている、請求項９に記載の航空機管理システム。
【請求項１１】
前記ボリューム（２１９）内に存在する前記部品は、アセンブリライン上の前記航空機（１０４）のアセンブリ（１４４）の現在の状態（２３３）のためのものである、請求項１０に記載の航空機管理システム。
【請求項１２】
前記航空機（１０４）の前記部品（１０６）のアセンブリ（１４４）のための前記製造注文インスタンス（２５０）を識別するように構成されていることにおいて、
前記オブジェクトマネージャ（１２４）は、前記航空機（１０４）の前記部品（１０６）のアセンブリ（１４４）のための前記製造注文インスタンス（２５０）を識別するユーザ入力を受信するように構成されている、請求項９に記載の航空機管理システム。
【請求項１３】
前記ボリューム（２１９）は、前記部品（１０６）のアセンブリ（１４４）が位置づけされているセクション、又は前記部品（１０６）のアセンブリ（１４４）からの選択された距離の内の少なくとも一つに基づく、請求項９に記載の航空機管理システム。
【請求項１４】
前記オブジェクトマネージャ（１２４）は更に、前記ボリューム（２１９）内の、前記部品（１０６）のアセンブリ（１４４）又は前記他の部品（１０６）の前記任意数のアセンブリ（１４２）の内の少なくとも一つにおける部品（１０６）間の従属関係（１３３）を示す一連のグラフィカルインジケータ（２３１）を表示するように構成されている、請求項９に記載の航空機管理システム。
【請求項１５】
前記ボリューム（２１９）内の前記他の部品（１０６）と関連させずに、前記部品（１０６）のアセンブリ（１４４）を表示するように構成されていることにおいて、
前記オブジェクトマネージャ（１２４）は、前記ボリューム（２１９）内の前記他の部品（１０６）と関連させずに、前記部品（１０６）のアセンブリ（１４４）の立体分解図を表示するように構成されている、請求項９に記載の航空機管理システム。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
屋外照明ネットワークシステムの光管理システムであって、
少なくとも１つの光ユニットが、少なくとも１つのセンサタイプを含む、複数の屋外光ユニットと、
前記複数の屋外光ユニットと通信する中央管理システムと、
を含み、
前記中央管理システムは、前記複数の屋外光ユニットのうちの１つ以上から受信される屋外光ユニットステータス／センサ情報に応えて、前記複数の屋外光ユニットのうちの１つ以上に制御コマンドを送信し、前記複数の屋外光ユニットの照明特性に関連する照明ストラテジを実施し、
前記中央管理システムは、前記屋外光ユニットステータス／センサ情報を使用して、ユーザの挙動を決定し、また、前記照明ストラテジを変更するかどうかを決定し、
前記ユーザの前記挙動の決定には、ユーザの移動軌道／推定位置とユーザ制御される光の使用の変化とを決定することが含まれる、光管理システム。
【請求項２】
前記中央管理システムは更に、前記ユーザの速度の変化を決定することによって、前記ユーザの前記挙動を決定する、請求項１に記載の光管理システム。
【請求項３】
前記中央管理システムは更に、前記ユーザの運転パターンを決定することによって、前記ユーザの前記挙動を決定する、請求項１に記載の光管理システム。
【請求項４】
センサが、前記ユーザの前記運転パターンに関するセンサデータを、前記中央管理システムに送信し、前記中央管理システムは、前記ユーザが、信号機、道路標識又は警告に従っているかどうか、また、前記ユーザが、蛇行運転しているかどうか、道路から離脱しているかどうかを分析し、追い越し車線における時間を測定することによって、前記ユーザの前記運転パターンを決定する、請求項３に記載の光管理システム。
【請求項５】
前記中央管理システムは、変更された前記照明ストラテジに基づいて、前記複数の屋外光ユニットのうちの１つ以上を再構成する、請求項１に記載の光管理システム。
【請求項６】
変更された前記照明ストラテジは、前記ユーザの前記推定位置又は前記移動軌道に沿って後続の屋外光ユニットの光特性を変更することを含む、請求項１に記載の光管理システム。
【請求項７】
前記複数の屋外光ユニットのうちの１つ以上と通信する少なくとも１つのユーザ入出力デバイスを更に含み、前記中央管理システムは、前記少なくとも１つのユーザ入出力デバイスに情報を提供する、請求項１に記載の光管理システム。
【請求項８】
前記中央管理システムと通信するリソースサーバを更に含み、前記中央管理システムは、前記リソースサーバからのリソースを使用して、前記照明ストラテジを更に変更する、及び／又は、前記複数の屋外光ユニットのうちの１つ以上を再構成する、請求項１に記載の光管理システム。
【請求項９】
屋外照明ネットワークシステムの光管理方法であって、前記屋外照明ネットワークシステムは、複数の屋外光ユニットと、前記複数の屋外光ユニットと通信する中央管理システムとを有し、少なくとも１つの屋外光ユニットは、少なくとも１つのセンサタイプを含み、前記方法は、
前記中央管理システムにおいて、前記少なくとも１つのセンサタイプからステータス／センサ情報を受信するステップと、
前記屋外光ユニットステータス／センサ情報を使用してユーザの挙動を決定するステップと、
前記ユーザの前記挙動に基づいて、前記照明ストラテジを変更するかどうかを決定するステップと、
を含み、
前記ユーザの前記挙動を決定するステップは、前記ユーザの移動軌道／推定位置と周辺光のユーザ制御される変化とを決定するステップを含む、方法。
【請求項１０】
前記ユーザの前記挙動を決定するステップは更に、前記ユーザの速度の変化を決定するステップを含む、請求項９に記載の方法。
【請求項１１】
前記ユーザの前記挙動を決定するステップは更に、前記ユーザの運転パターンを決定するステップを含む、請求項９に記載の方法。
【請求項１２】
前記ユーザの前記運転パターンを決定するステップは、前記ユーザが、信号機、道路標識又は警告に従っているかどうか、また、前記ユーザが、蛇行運転しているかどうか、道路から離脱しているかどうかを分析するステップと、追い越し車線における時間を測定するステップとを含む、請求項１１に記載の方法。
【請求項１３】
前記照明ストラテジを変更するステップは、前記ユーザの前記推定位置又は前記移動軌道に沿って後続の屋外光ユニットの光特性を変更するステップを含む、請求項１１に記載の方法。
【請求項１４】
前記複数の屋外光ユニットのうちの１つ以上と通信する少なくとも１つのユーザ入出力デバイスを更に含み、前記中央管理システムが、前記少なくとも１つのユーザ入出力デバイスに情報を提供するステップを含む、請求項１１に記載の方法。
【請求項１５】
前記照明ストラテジを変更する及び／又は前記複数の屋外光ユニットのうちの１つ以上を再構成するステップは、前記中央管理システムと通信するリソースサーバから情報を受信するステップを含む、請求項１１に記載の方法。
【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
イオンビームソースにおいて、
被処理物に対向する一側は開放されて他側は閉鎖され、前記一側には複数の磁極部がＮ極Ｓ極交互又は同じ磁極で離隔配置され、前記一側でプラズマ電子の閉ループを形成する磁場部と、
前記閉ループの下端に配置される電極部とを含み、
工程チャンバ内のプラズマ電子を前記閉ループに沿って回転させて前記工程チャンバ内の内部ガスからプラズマイオンを生成し、前記被処理物に供給する、イオンビームソース。
【請求項２】
前記磁場部は、前記複数の磁極部の下端に磁石部を備え、縁部の磁極部の下端に備えられる磁石部の断面積が他の磁極部の下端に備えられる磁石部の断面積の１／２である、請求項１に記載のイオンビームソース。
【請求項３】
前記磁場部は、前記開放された一側で隣接する磁極部の厚さ、傾斜、開放幅の少なくとも１つを調整することによって前記プラズマイオンの集束、発散又は平行移動を制御する、請求項１に記載のイオンビームソース。
【請求項４】
前記閉ループの空間を除く前記磁場部の内面と前記電極部の外面との間に充填され、前記電極部を前記磁場部に固定する絶縁固定部を含む、請求項１に記載のイオンビームソース。
【請求項５】
前記絶縁固定部は、前記開放された一側に対向する開放面に凹凸部を有する、請求項４に記載のイオンビームソース。
【請求項６】
前記磁極部は、前記工程チャンバ内にイオン化調整ガスを注入するイオン化調整ガス注入部を含む、請求項１に記載のイオンビームソース。
【請求項７】
前記イオン化調整ガス注入部は、
外部からイオン化調整ガスが流入する調整ガス流入部と、
前記調整ガス流入部に連通し、前記磁極部の長手方向に内部に形成される調整ガスチャンネル部と、
前記調整ガスチャンネル部に連通して前記閉ループの方向に連通し、スリット形状を有する調整ガス拡散部とを含む、請求項６に記載のイオンビームソース。
【請求項８】
前記磁場部は、中央が折り曲げられ、両側が前方又は後方に傾斜している、請求項１に記載のイオンビームソース。
【請求項９】
前記電極部は、
外部に連通する反応ガス流入部と、
前記反応ガス流入部及び前記開放された一側に連通する反応ガス噴出部とを含む、請求項１に記載のイオンビームソース。
【請求項１０】
前記イオンビームソースは、複数の前記閉ループを含む、複数の前記閉ループを形成する各電極部に供給する電源を調節することによって噴出するイオンビームエネルギーを制御する, 請求項１乃至９のいずれかに記載のイオンビームソース。
【手続補正書】
【提出日】平成29年5月1日(2017.5.1)
【手続補正１】
【補正対象書類名】明細書
【補正対象項目名】００５１
【補正方法】変更
【補正の内容】
【００５１】
図８において、ＧＤＯＴモジュール２２は、２００で、インタフェース５０、６２からデータを受信し、２０２で注視速度を、また、２０４でターゲットの速度を計算する。速度は、次に、２０８で、任意にフィルタリング処理され、結果として得られたデータは、２１２で、領域速度の確率を計算するために用いられる。２０６で、任意のフィルタリング処理と同様の処理が位置データに対して適用され、結果として得られたデータは、２１０で、ターゲット位置の確率を計算するために用いられる。次に、ＴＯＩおよび任意の正確なＰＯＧは、２１６で計算され、２１８で出力される。処理は、これまでに、レンダリングされたシーンに基づいて、特定の用途に関する、正確なＰＯＧデータを提供するために、連続的または定期的に繰り返される。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
充填機におけるデバイス（１）であって、前記充填機が、
包装材チューブ（２７）に流動食品を供給する充填パイプと、
前記包装材チューブ（２７）に加圧された滅菌エアを供給するパイプ（２０）と、
前記包装材チューブ（２７）及び前記包装材チューブ（２７）内側の任意のパイプ（２０）をシールするガスケット（２６）と、
を備え、前記包装材チューブ（２７）内に過圧を発生し、
前記デバイス（１）が、前記包装材チューブ（２７）から上流位置で前記パイプ（２０）の内側の第一圧力（ｐ１）を測定する第一圧力ゲージ（２２）と、
前記パイプ（２０）におけるエアマスフロー（ｍｆ）を決定する決定手段（２２、２３；２８）と、
前記決定されたパラメータ（ｐ１、ｍｆ）を受ける制御ユニット（３０）と、
を備え、前記制御ユニット（３０）が、第一の予め定められた関係（Ｒ１）に従って、前記エアマスフロー（ｍｆ）及び前記第一圧力（ｐ１）に基づき、前記包装材チューブ（２７）内の圧力（ｐｔ）を計算するように構成されたデバイス（１）。
【請求項２】
前記エアマスフロー（ｍｆ）を決定する決定手段が、第二圧力（ｐ２）を測定する第二圧力ゲージ（２３）をさらに備えており、かつ前記包装材チューブ（２７）での圧力（ｐｔ）が、第二の予め定められた関係（Ｒ２）に従って、第二圧力（ｐ２）と第一圧力（ｐ１）との圧力差（Δｐ）に基づき及び第一圧力（ｐ１）に基づき、制御ユニット（３０）により計算された請求項１に記載のデバイス（１）。
【請求項３】
精密に仕上げられたリストリクションが前記第一圧力ゲージ（２２）と前記第二圧力ゲージ（２３）との間に配置されており、前記第一圧力ゲージ（２２）と前記第二圧力ゲージ（２３）との間の圧力差の正確な測定値を得ている請求項２に記載のデバイス（１）。
【請求項４】
前記制御ユニット（３０）により制御された制御バルブ（２１）が、前記包装材チューブ（２７）内側の圧力（ｐｔ）が制御されるように、滅菌エアのマスフロー（ｍｆ）を制御するパイプ（２０）内に配置された請求項３に記載のデバイス（１）。
【請求項５】
請求項１から４のいずれか一項に記載のデバイス（１）を備える充填機。
【請求項６】
充填機における包装材チューブ（２７）内の圧力を制御する方法であって、前記充填機が、前記包装材チューブ（２７）に流動食品を供給する充填パイプと、前記包装材チューブ（２７）に加圧された滅菌エアを供給するパイプ（２０）と、前記包装材チューブ（２７）及び前記包装材チューブ（２７）内側の任意のパイプをシールするガスケット（２６）と、を備え、前記包装材チューブ（２７）内に過圧を発生し、
前記方法が、
ａ）前記包装材チューブ（２７）の上流に配置された滅菌エア供給のパイプ（２０）内の第一圧力（ｐ１）を測定するステップと、
ｂ）前記パイプ（２０）内のエアマスフロー（ｍｆ）を測定ステップと、
ｃ）前記圧力（ｐｉ）及び前記エアマスフロー（ｍｆ）を用いて、前記上流の圧力（ｐｉ）の位置から前記包装材チューブ（２７）までの圧力降下を計算するステップと、
ｄ）前記包装材チューブ（２７）での圧力を、前記第一圧力（ｐ１）の位置での圧力マイナス前記第一圧力（ｐ１）の位置から包装材チューブ（２７）までの圧力降下として、計算するステップと、
を備える方法。
【請求項７】
前記パイプ（２０）内のエアマスフロー（ｍｆ）を測定するステップが、前記第一圧力（ｐ１）の位置から上流の位置で第二圧力（ｐ２）を測定するステップと、
前記エアマスフローを決定するため、第三の予め定められた関係（Ｒ３）に従って、前記第二圧力（ｐ２）の位置から前記第一圧力（ｐ１）の位置までの圧力降下を用いるステップと、
を備える請求項６に記載の方法。
【請求項８】
前記包装材チューブ（２７）内側の圧力（ｐｔ）を制御するため、制御バルブ（２１）により、前記エアマスフローを制御するステップをさらに備える請求項６または７に記載の方法。
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
２つの水溶性の基体（２，３）から形成されるマルチ−コンパートメントパウチ（１）であって、パウチは２つの基体間のウエルドライン（４）に関して本質的に対称的であり、水可溶性の基体のうちの１つがトップリッディングウエブ（３）であり、別の水可溶性の基体は基礎ウエブ（２）であり、該トップまたはリッディングウエブは該基礎ウエブよりも薄く、該トップリッディングウエブの厚さは該基礎ウエブの厚さの３０％から９０％の間であり、コンパートメント（１ａ、１ｂ、１ｃ、１ｄ）のそれぞれが利用可能な体積の少なくとも８０％充填されるマルチ−コンパートメントパウチ。
【請求項２】
パウチが少なくとも２つのコンパートメントを有し、それぞれのコンパートメントが同じ２つの基体の間に形成される、請求項１記載のパウチ。
【請求項３】
コンパートメントが異なる生成物を含む、請求項２記載のパウチ。
【請求項４】
パウチが３以上のコンパートメントを有する、請求項１記載のパウチ。
【請求項５】
平面のひずみに対する抵抗を提供するように、コンパートメントがパウチ内に配置され、および／またはパウチを横断する任意の曲がりの軸が少なくとも１つのコンパートメントのボディを横切るようにコンパートメントがパウチ内に配置される、請求項２から４のいずれか１項記載のパウチ。
【請求項６】
周縁のコンパートメントおよび／または分割された周縁のコンパートメントを含む、請求項１から５のいずれか１項記載のパウチ。
【請求項７】
少なくとも１つのコンパートメントが流動可能な組成物または固体の組成物で満たされるか、または、コンパートメントは相互に相溶性であるかまたは互いにアンタゴニスティックでない１以上の組成物で充填される、請求項１から６のいずれか１項記載のパウチ。
【請求項８】
該トップリッディングウエブの厚さは該基礎ウエブの厚さの５０％から７５％の間である、請求項１から７のいずれか１項記載のパウチ。
【請求項９】
コンパートメントのそれぞれが利用可能な体積の少なくとも９０％充填される、請求項１から８のいずれか１項記載のパウチ。
【請求項１０】
パウチが第２の閉じたマルチ−コンパートメントパウチに密閉されるか、または第２の開いたマルチ−コンパートメントパウチに密閉され、結合したパウチを形成する、請求項１から９のいずれか１項記載のパウチ。
【請求項１１】
基礎ウエブ（２）およびトップリッディングウエブ（３）から成る２つの水溶性の基体からマルチ−コンパートメントパウチを形成する方法であって、
フォーマーの周縁の表面内に複数のマルチ−コンパートメントパウチフォーミングキャビィティ（２３；４２；６２）を有するフォーマー（２１；４１；６１）を提供し、基礎ウエブをキャビティ内に引き込み、それぞれのパウチ内に複数のポケットを形成し、１以上のポケットに少なくとも１つの製品を充填し、基礎ウエブ内のポケットをトップリッディングウエブで閉じ、複数の密閉されたマルチ−コンパートメントパウチ（２０；３８；６０）を形成し、密閉されたマルチ−コンパートメントパウチを結合された基礎ウエブとトップリッディングウエブから分離することを含み、該トップリッディングウエブは該基礎ウエブよりも薄く、パウチがフォーマーから離れた後に基礎ウエブは収縮するか縮小し、そのためにパウチ内に生成された圧力が、基礎ウエブの収縮より大きな程度までトップのリッディングウエブを膨らませ、２つの基体間のウエルドラインに対して本質的に対称的なマルチ−コンパートメントパウチを形成するために十分なようにパウチの内容積を増加させる、方法。
【請求項１２】
マルチ−コンパートメントパウチのそれぞれのポケットに、少なくとも１つの製品が充填される、請求項１１記載の方法。
【請求項１３】
パウチの少なくとも１つの開いたポケットが形成され、充填され、その後パウチの少なくとも１つの他の開いたポケットが形成され、充填され、すべての充填された開いたポケットが一度に、リッディングウエブで密封されることにより閉じられる、請求項１１または１２記載の方法。
【請求項１４】
２番目のパウチがマルチ−コンパートメント水溶性のパウチに付けられ、結合したパウチが形成される、請求項１１から１３のいずれか１項記載の方法。